(57)【要約】【課題】金属膜の損傷が防止されるようになるうえ、金属膜が形成された部分から光が漏れないようになる装飾要外装部材の提供。【解決手段】枠状部30を構成する合成樹脂製の基部30B の裏側に金属を蒸着することで金属膜39A を形成したので、当該枠状部30が遊技者の手や指に触れやすい位置に配置され、当該枠状部30の表側の表面が遊技者の手や指等で何度も繰り返し擦られても、金属膜39A が損傷することがなく、金属膜39A の損傷を未然に防止することができる。また、金属膜39A の裏側の面に、光を遮断することが可能な厚さの塗膜39B を形成したので、内部に設けられた図示しない照明装置の光りを遮断することができ、金属膜39A が形成された枠状部30からの光の漏洩を未然に防止することができる。【選択図】    図９
2013070937.tif 000002
【特許請求の範囲】
【請求項１】
遊技機の意匠を向上させるために、当該遊技機の外側表面に取り付けられる装飾用外装部品であって、
透明な合成樹脂を所定の形状に成形した本体を備え、
前記本体の裏側の表面には、金属を蒸着させることによって形成された金属膜と、
この金属膜の上に塗料を塗装することによって形成された塗膜とが設けられ、
前記塗膜は、光を遮断することが可能な厚さを有するものであることを特徴とする装飾用外装部品。
【請求項２】
前記本体は、裏側の表面に凹凸を設けることで形成された凹凸模様を備えていることを特徴とする請求項１記載の装飾用外装部品。
【発明の詳細な説明】
【技術分野】
【０００１】
本発明は、遊技機の意匠を向上させるために、当該遊技機の外側表面に取り付けられる装飾用外装部品に関する。
【背景技術】
【０００２】
従来から、外周面に複数種類の図柄が記された複数の回転リールを備え、これらの回転リールを回転させた後、遊技者に回転リールを停止させて図柄を揃えさせる遊技を行うスロットマシン等の遊技機が利用されている。
ここで、近年の遊技機は、遊技を行おうとする遊技者の視線を惹き付けるために、様々な意匠が凝らされた装飾用外装部品が設けられたものとなっている。
【０００３】
例えば、スロットマシンには、その左右の両側縁に沿って延びる装飾用外装部品が設けられている。このような装飾用外装部品は、透明な合成樹脂製とされ、内部に設けられている照明装置と併せて演出装置を形成するものでもある。
すなわち、遊技機に設けられる装飾用外装部品は、透明な合成樹脂から形成されていることから、内部に設けられた照明装置の発する光を外部へ照射することができ、遊技の進行に伴って、内部の照明装置を点灯動作又は点滅動作させれば、これにより、遊技を盛り上げる演出を行うことができる。
【０００４】
また、装飾用外装部品としては、その表面のうち、照明装置の光を透過させない部分に金属メッキを施し、合成樹脂製の部材の表面に金属光沢を付与し、これにより、外観が豪華となったものも利用されている。
ここで、装飾用外装部品に施された金属メッキの金属膜の上に、透明な塗料を塗布することで透明な塗膜を形成すれば、装飾用外装部品の表面の金属光沢を損なうことなく、塗膜で金属膜を保護することができる。
従って、装飾用外装部品の表面が遊技者の手や指等で擦られても、塗膜で保護された金属膜が簡単に剥がれることがなくなる。
しかも、塗膜の中に金属粉等の光を反射する微粒子を混ぜておけば、微粒子が散乱する反射光を放つようになるので、見る角度を変えることで、微粒子が瞬くようにきらきら光り、金属層の反射光だけでは得ることができない、視覚的な効果を得ることができる。
【０００５】
【特許文献１】特開２００１−１０４５３７号公報
【発明の開示】
【発明が解決しようとする課題】
【０００６】
前述の装飾用外装部品では、遊技機の表側の面に金属膜を形成したので、当該装飾用外装部品が遊技者の手や指に触れやすい位置に配置されると、装飾用外装部品の表面が遊技者の手や指等で何度も繰り返し擦られるうえ、清掃でも布等で何度も繰り返し擦られるようになり、塗膜で保護しても、塗膜が磨り減り、金属膜が損傷してしまう、という問題がある。
また、凹凸のある面に金属膜を形成すると、凹凸の角部分が遊技者の手や指によって擦られ、当該角部分に形成された金属膜が容易に損傷してしまう、という問題もある。
さらに、真空蒸着法で装飾用外装部品の表面に金属膜を形成した場合、成膜の際にピンホールの形成を完全に防止することができず、成膜後の金属膜に数個のピンホールが形成されてしまい、内部に設けらた照明装置の光りがピンホールを通じて外部に漏れてしまう、金属膜が形成された部分から光が漏れる、という問題が発生する。
【０００７】
本発明は、このような問題を解決するためになされたものであり、金属膜の損傷が防止されるようになるうえ、金属膜が形成された部分から光が漏れないようになる装飾要外装部材を提供することを目的とする。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１に記載された発明は、遊技機(１)の意匠を向上させるために、当該遊技機(１)の外側表面に取り付けられる装飾用外装部品(20)であって、透明な合成樹脂を所定の形状に成形した本体(30)を備え、前記本体(30)の裏側の表面(38)には、金属を蒸着させることによって形成された金属膜(39A) と、この金属膜(39A) の上に塗料を塗装することによって形成された塗膜(39B) とが設けられ、前記塗膜(39B) は、光を遮断することが可能な厚さを有するものであることを特徴とする。
【００１０】
（請求項２）
（特徴点）
請求項２記載の発明は、前述した請求項１に記載の発明において、次の特徴点を備えているものである。
すなわち、請求項２記載の発明は、前記本体(30)として、裏側の表面に凹凸を設けることで形成された凹凸模様(38)を備えているものを採用したことを特徴とする。
【発明の効果】
【００１１】
（請求項１の効果）
以上のように構成されている本発明は、以下に記載されるような効果を奏する。
すなわち、請求項１記載の発明によれば、透明な合成樹脂から成形された本体の裏側の表面に、金属を蒸着することで金属膜を形成したので、当該本体が遊技者の手や指に触れやすい位置に配置され、当該本体の表面が遊技者の手や指等で何度も繰り返し擦られ、あるいは、清掃時に布等で何度も繰り返し擦られても、当該本体の裏側に形成された金属膜が損傷することがなく、金属膜の損傷が未然に防止されるようになる。
また、金属膜の上、換言すると、金属膜の裏側の面に、光を遮断することが可能な厚さの塗膜を形成したので、この塗膜が、当該装飾用外装部品の内部に設けられた照明装置の光りを遮断するようになる。このため、蒸着で形成された金属膜に数個のピンホールが形成されていても、塗膜が照明装置の光りを遮断するので、金属膜のピンホールを通じて外部に漏れてしまうことが防止され、従って、金属膜が形成された部分から光が漏れることがなくなり、以上により、前記目的が達成される。
しかも、蒸着で形成された金属膜が薄くても、塗膜が照明装置の光りを遮断するので、金属膜が形成された部分において、点灯している照明装置の光源が透けて見えることも防止することができるうえ、金属膜の膜厚を適度に薄くすれば、塗膜の色が金属膜を通じて表面に映えるようになるので、例えば、銀色の金属膜の裏側に黒色の塗膜を形成することによって、表側の金属膜の銀色に重厚さが加わり、装飾用外装部品の外観に重厚な高級感を付与することができる。
【００１２】
（請求項２の効果）
請求項２記載の発明によれば、上記した請求項１記載の発明の効果に加え、次のような効果を奏する。
すなわち、請求項２記載の発明によれば、装飾用外装部品の裏側の表面に凹凸を設け、この凹凸によって凹凸模様を形成し、この凹凸のある裏側の表面に金属膜を形成するようにしたので、凹凸模様の凹凸の角部分が外部に露出せず、遊技者の手や指によって、その表側の面が擦られても、当該角部分に形成された金属膜が損傷してしまうことがない。そして、凹凸模様は、透明な装飾用外装部品の外側から目視できるので、凹凸模様によって、装飾用外装部品の意匠をさらに向上でき、装飾用外装部品の意匠のバリエーションの増大を図ることもできる。
【図面の簡単な説明】
【００１３】
【図１】本発明の一実施形態に係るスロットマシンを示す正面図である。
【図２】前記実施形態に係る装飾用外装部品を示す正面図である。
【図３】前記実施形態に係る装飾用外装部品を正面側から示す分解斜視図である。
【図４】図２のＡ−Ａ線における断面を示す斜視図である。
【図５】前記実施形態に係る装飾用外装部品を背面側から示す分解斜視図である。
【図６】図２のＡ−Ａ線における断面を示す分解斜視図である。
【図７】前記実施形態に係る装飾用外装部品を背面側から示す斜視図である。
【図８】前記実施形態に係る装飾用外装部品を示す背面図である。
【図９】前記実施形態に係る金属膜及び塗膜を示す拡大断面図である。
【発明を実施するための形態】
【００１４】
以下に、本発明を実施するための形態である一実施形態について、図面を参照しながら説明する。
（スロットマシン１の概要）
図１には、本発明の一実施形態に係る遊技機であるスロットマシン１が示されている。図１において、スロットマシン１は、三個の回転リール11の各々に記された複数種類の図柄が所定の組み合わせとなるように、回転している回転リール11を停止させる遊技を行うものである。
このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１５】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１６】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００１７】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００１８】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００１９】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００２０】
（下部パネル部５及び受皿ユニット６）
下部パネル部５には、スロットマシン１のモデルタイプを表す象徴するキャラクター等が描かれたパネル5Aが設けられている。
また、下部パネル部５に設けられたパネル5Aにおける図２中左側及び右側には、上下方向に細長い帯状に形成された演出用照明装置5Bがそれぞれ設けられている。
この演出用照明装置5Bは、上端が上部パネル部４側の演出用照明装置4Dの下端に接続されたものとなっている。
【００２１】
このような演出用照明装置5Bは、内部に設けられた図示しないＬＥＤ等の光源と、この図示しない光源を覆うカバーである装飾レンズ部品20とを備えたものとなっている。
そして、装飾レンズ部品20は、スロットマシン１の意匠を向上させるために、当該スロットマシン１の外側表面に取り付けられる装飾用外装部品となっている。
【００２２】
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cと、喫煙する遊技者の煙草の灰や吸殻を受けるための灰皿装置6Dとが設けられている。
【００２３】
（装飾レンズ部品20）
装飾レンズ部品20は、下部パネル部５の図２中左側及び右側にそれぞれ配置されたもの同士が左右対称となっている。
以下の説明では、下部パネル部５の図２中右側に配置された装飾レンズ部品20について詳しく説明し、下部パネル部５の図２中左側に配置された装飾レンズ部品20については、右側の装飾レンズ部品20と左右対称であるので、その詳しい説明を省略する。
【００２４】
装飾レンズ部品20は、図２及び図３に示すように、枠状に成形された枠状部30と、枠状部30の内部に嵌め込める形状に形成されたレンズ部40とを備えている。このうち、枠状部30は、赤色の透明な合成樹脂から形成され、レンズ部40は、淡い青紫色の透明な合成樹脂から形成されている。なお、レンズ部40の内部には、ＬＥＤ等の光源を有する図示しない照明装置が設けられている。
枠状部30は、全体が上下に細長く、上辺が下辺よりも短い略台形状に形成された正面形状を有するとともに、枠状部30は、図４に示すように、アルファベットの「Ｊ」字形状の断面形状を有している。
以上において、枠状部30は、透明な合成樹脂を所定の形状に成形したものであって、装飾レンズ部品20の本体となっている。
本発明に基づく装飾用外装部品
【００２５】
図２に戻って、枠状部30の正面形状は、全体的に、図２中下方へ向かって幅寸法が次第に小さくなった台形状の正面部31によって形成されている。
この正面部31には、図２中下側に位置するとともに、上方に向かって徐々に広がった細身の正面形状を有する脚部31A と、図２中上側に位置するとともに、下方の脚部31A よりも大きな角度で上方に向かって扇状に広がった逆三角形状の正面形状を有する頭部31B とが設けられている。
【００２６】
換言すると、正面部31における図２中右側の端縁部31C は、図２中上下に真っ直ぐ延びる直線となっている一方、この端縁部31C に対向する端縁部31D は、下端から途中部分まで直線的に延びるとともに、上端部分が端縁部31C から離れるように大きな曲率で曲がったものとなっている。
端縁部31D の上端部分が端縁部31C から離れるように大きな曲率で曲がっていることにより、頭部31B の正面形状は、下方の脚部31A よりも大きな角度で上方に向かって扇状に広がった逆三角形状のものなっている。
【００２７】
脚部31A は、上下に細長い形状のものとなっている。この脚部31A には、図２及び図３の如く、四隅の角部が丸められた複数の四角形が図２中上下に連結されることによって上下方向に細長く延びた正面形状を有する長孔部32が形成されている。
換言すると、脚部31A に形成された長孔部32は、その長手方向に延びるとともに互いに対向する内側縁に、互いに近づく方向へ突出する複数の突起が対向配置されることによって、複数の括れ部32A が形成されたものとなっている。
【００２８】
枠状部30は、図３及び図４に示すように、正面部31の左右に位置する端縁部31C 及び端縁部31D のそれぞれから図示しない下部パネル部５へ向かって突出する側壁部34, 35を備えている。
ここで、枠状部30は、前述したように、断面形状が「Ｊ」字形状とされていることから、端縁部31C から立ち上がる側壁部34は、対向する端縁部31D から立ち上がる側壁部35よりも突出寸法が長いものとなっている。
側壁部34及び側壁部35の先端面には、下部パネル部５に固定される際に、当該下部パネル部５に形成されている図示しない位置決め孔に挿通されることで、当該下部パネル部５における枠状部30の位置を決める位置決め爪部34A, 35Aがそれぞれ立設されている。
【００２９】
また、枠状部30の上端近傍及び下端近傍のそれぞれには、当該下部パネル部５に形成されている図示しない仮止め孔に挿通されることで、当該下部パネル部５に対する枠状部30の位置決めと、当該下部パネル部５への枠状部30の仮固定とを行う仮固定爪部36, 37が設けられている。
この仮固定爪部36, 37は、下部パネル部５に形成されている図示しない仮止め孔に挿入された際に、下部パネル部５の裏側の面に係止される返し部36A, 37Aを備え、仮止め孔の内部に挿入されると、返し部36A, 37Aが下部パネル部５の裏側の面に係止され、下部パネル部５に仮固定されるようになっている。
【００３０】
以上において、枠状部30の頭部31B には、当該頭部31B の正面形状に対応した逆三角形状の開口としての窓部33が設けられている。
この際、図１中右側の装飾レンズ部品20は、図１の如く、下部パネル部５に取り付けられた状態では、頭部31B の窓部33を通じて、操作卓７に設けられた鍵穴7Aが外部に露出するようになっている。
また、図１中左側の装飾レンズ部品20は、下部パネル部５に取り付けられた状態では、頭部31B の窓部33を通じて、操作卓７に設けられた精算ボタン7Hが外部に露出するようになっている。
【００３１】
一方、レンズ部40は、図２及び図３の如く、枠状部30側の長孔部32の内周形状に応じて図２中上下方向に細長い正面形状を有している。具体的には、レンズ部40の正面形状は、図３中下方へ向かって幅寸法が次第に小さくなった台形状の形状となっている。
また、レンズ部40は、枠状部30に対応して、図４の如く、当該枠状部30と同様にアルファベットの「Ｊ」字形状の断面形状を有している。
以上により、レンズ部40は、長孔部32の内部に嵌め込むことが可能となっている。
【００３２】
さらに、レンズ部40は、図３及び図４の如く、図３中下方へ向かって細くなった円錐台状の筒体を軸方向（図３中縦方向）に二分割した形態を有する正面部41と、正面部41の図３中左右に位置する端縁部41A 及び端縁部41B のそれぞれから図示しない下部パネル部５へ向かって突出する側壁部42, 43とを備えている。
そして、レンズ部40は、前述したように、断面形状が「Ｊ」字形状とされていることから、図４の如く、端縁部41A から立ち上がる側壁部42は、対向する端縁部41B から立ち上がる側壁部43よりも突出寸法が長いものとなっている。
【００３３】
次に、レンズ部40を枠状部30に固定する固定構造について説明する。
レンズ部40は、図５に示すように、図５中、上下方向に細長い正面形状を備え、その上端部及び下端部にそれぞれ円筒状の被固定部44, 45が設けられたものとなっている。
被固定部44, 45の各々は、図３の如く、枠状部30側を向いた端面が開口部44A, 45Aとなっている。
一方、被固定部44, 45の反対側の端面には、図５の如く、それぞれ、平板状に形成されているとともに、表裏を貫通するネジ挿通孔44B, 45Bが形成された底部44C, 45Cが設けられている。換言すると、被固定部44, 45の反対側の端面は、平板状の底部44C, 45Cでそれぞれ塞がれたものとなっている。
【００３４】
レンズ部40の二つの側壁部42, 43のうち、突出寸法の長いもの、換言すると、背の高い方の側壁部42には、図５及び図６に示すように、当該側壁部42の表裏を貫通する複数の係止開口部42A が設けられている。
これら複数の係止開口部42A は、図３の如く、レンズ部40の端縁部41A と平行に延びるとともに、端縁部41A から当該側壁部42の頂部に至るまでの中間点を通過する直線の上に、間隔をあけて配列されている。
係止開口部42A の端縁部41A 側に臨む側縁には、当該側縁から端縁部41A へ向かって延びる溝42B が接続されている。
【００３５】
また、背の低い方の側壁部43の頂部には、対向する側壁部42とは反対側へ突出するとともに平板状に形成された複数の係合片43A が、互いに間隔をあけて設けられている。
さらに、側壁部43における側壁部42と対向する側面には、図５の如く、多角形状の断面を有する複数の筒状部43B が設けられている。これらの筒状部43B は、正面部41の端縁部41B に沿って間隔をあけて配列されている。
これらの筒状部43B の各々は、図６に示すように、枠状部30側を向いた端部がレンズ部40の表面に開口された開口部43C とされているとともに、その反対側の端部が平板状に形成された底部43D によって閉鎖されたものとなっている。
【００３６】
図５に戻って、枠状部30には、レンズ部40側の被固定部44, 45に対応して、ネジを螺合させるネジ孔51A, 52Aが形成されたボス51, 52が立設されている。
これらのボス51, 52の先端部分は、レンズ部40が枠状部30に固定される際に、レンズ部40側の被固定部44, 45の内部に嵌合されるようになっている。
【００３７】
枠状部30の二つの側壁部34, 35のうち、突出寸法の長いもの、換言すると、背の高い方の側壁部34には、図５及び図６に示すように、レンズ部40側の係止開口部42A に対応して、側壁部35と対向する側面から突出するとともに、側面形状がクランク状となった複数の掛止部53が設けられている。
これらの掛止部53は、レンズ部40が枠状部30に固定される際に、その先端部分がレンズ部40側の溝42B に案内されて係止開口部42A に導入され、さらに、係止開口部42A の内部を通って、レンズ部40の側壁部42の内側の面に掛止されるように形成されている。
枠状部30の側壁部34及びレンズ部40の側壁部42は、掛止部53の先端部分がレンズ部40側の側壁部42の内側の面に掛止されることで、互いに離間することが防止されるようになっている。これにより、枠状部30の側壁部34及びレンズ部40の側壁部42は、その間に形成される隙間が拡がらないようになっている。
【００３８】
また、背の低い方の側壁部35の頂部となる端縁には、レンズ部40側の係合片43A に対応して、当該端縁を切り欠いた形態となった複数の凹部54が、互いに間隔をあけて設けられている。
これらの凹部54は、レンズ部40が枠状部30に固定されると、レンズ部40側の係合片43A が内部に遊嵌されるものとなっている。
そして、レンズ部40側の係合片43A は、レンズ部40が枠状部30に固定された状態で装飾レンズ部品20が下部パネル部５に固定されると、下部パネル部５側の表面と、枠状部30の凹部54の内周面とに挟まれて固定されるようになっている。
【００３９】
さらに、側壁部35における側壁部34と対向する側面には、図６の如く、レンズ部40側の筒状部43B に対応した位置に設けられているとともに、筒状部43B に応じた多角形状の断面を有し、且つ、側面形状が「Ｌ」字形状の掛止鉤部55が設けられている。
これらの掛止鉤部55は、レンズ部40が枠状部30に固定される際に、その先端部分がレンズ部40側の筒状部43B の内部に挿入され、筒状部43B に掛止されるようになっている。
枠状部30の側壁部35及びレンズ部40の側壁部43は、掛止鉤部55の先端部分がレンズ部40側の側壁部43に設けられた筒状部43B に掛止されることで、互いに離間することが防止されるようになっている。これにより、枠状部30の側壁部35及びレンズ部40の側壁部43は、その間に形成される隙間が拡がらないようになっている。
【００４０】
この際、レンズ部40を枠状部30に固定するにあたり、まず、レンズ部40の正面部41を枠状部30の側壁部34, 35の間に押し込み、枠状部30の側壁部34に設けられた掛止部53を、レンズ部40の側壁部42に設けられている溝42B にあてがい、この状態で、さらに、レンズ部40の正面部41を枠状部30の長孔部32に向かって押し込む。
すると、枠状部30側の掛止部53の先端部分がレンズ部40側の係止開口部42A の内部に挿通された状態となる。
【００４１】
この状態から、さらに、レンズ部40の正面部41を枠状部30の長孔部32に向かって押し込むと、図４の如く、レンズ部40の側壁部42における係止開口部42A を囲む部位が、枠状部30の側壁部34の内側面と、掛止部53の先端部分との間に挟まれ、枠状部30のボス51, 52がレンズ部40の被固定部44, 45の内部に嵌合され、枠状部30の掛止鉤部55がレンズ部40側の筒状部43B に挿入されて掛止され、且つ、側壁部35の凹部54にレンズ部40の係合片43A が遊嵌された固定可能状態となる。
そして、この固定可能状態において、図７に示すように、被固定部44, 45のネジ挿通孔44B, 45Bに挿通され、且つ、ボス51, 52に螺合しているネジ56で、レンズ部40が枠状部30に接合され、これにより、レンズ部40の枠状部30への固定がなされる。
【００４２】
以上において、レンズ部40は、図７の如く、側壁部42における図７中上方の端部近傍に形成されるとともに、中心部分にネジ螺合孔46A が形成された筒状の被固定部46を備えたものとなっている。
そして、装飾レンズ部品20は、下部パネル部５に固定されるにあたり、まず、レンズ部40が枠状部30に固定され、且つ、枠状部30の置決め爪部34A, 35Aが下部パネル部５側の仮止め孔（図示略）に挿通されるとともに、枠状部30の仮固定爪部36, 37が下部パネル部５側の仮止め孔（図示略）に挿入される。そして、この状態で、下部パネル部５のネジ挿通孔（図示略）に挿通されたネジ（図示略）を、レンズ部40に設けられた被固定部46のネジ螺合孔46A に螺合すると、装飾レンズ部品20は、下部パネル部５に固定される。
【００４３】
以上のような装飾レンズ部品20の裏側の表面には、図７及び図８に示すように、当該裏側の表面に凹凸を設けることで形成された凹凸模様が設けられている。
すなわち、枠状部30の裏側の表面30A には、凹凸模様として、当該枠状部30の裏側の表面に鱗状の凹凸を設けることで形成された鱗模様38が設けられている。
また、レンズ部40の裏側の表面には、当該裏側の表面に、ローレット加工で形成した菱形の凹凸を設けることで形成されたダイヤ模様47が設けられている。
【００４４】
ここで、装飾レンズ部品20の本体である枠状部30の裏側の表面30A には、図９に示すように、枠状部30を構成する合成樹脂製の基部30B の上に、金属、例えば、アルミニウムを蒸着させることによって形成された金属膜39A と、この金属膜39A の上に塗料を塗装することによって形成された塗膜39B とが設けられている。
このうち、金属膜39A は、光を完全に遮断することがない厚さとなっている。換言すると、金属膜39A の膜厚は、光が程度まで透過可能な膜厚となっている。これにより、枠状部30の表側の表面30C から基部30B の内部に入ってきた光αは、一部が塗膜39B に到達するとともに、塗膜39B で反射して、基部30B の内部を通って、枠状部30の表側の表面30C から外部へ放出可能となっている。
【００４５】
このため、枠状部30を表側から見た金属膜39A の色は、裏側の塗膜39B の色に影響されるようになっている。例えば、金属膜39A を銀色とし、塗膜39B を黒色とした場合、枠状部30を表側から見た金属膜39A の色は、黒みがかった重厚な銀色となる。
塗膜39B は、光を遮断することが可能な厚さを有するものである。
このため、枠状部30の表側の表面30C から基部30B の内部に入ってきた光は、塗膜39B で遮断されて枠状部30の内部へ到達しないようにないっている。また、枠状部30の裏側の表面30C から基部30B の内部に入ってきた光は、塗膜39B で遮断されて枠状部30の外部へ放出されないようにないっている。
【００４６】
前述のような本実施形態によれば、次のような効果が得られる。
すなわち、透明な合成樹脂から成形された枠状部30の裏側の表面30A 、さらに具体的には、枠状部30を構成する合成樹脂製の基部30B の上に金属を蒸着することで金属膜39A を形成したので、当該枠状部30が遊技者の手や指に触れやすい位置に配置され、当該枠状部30の表側の表面が遊技者の手や指等で何度も繰り返し擦られ、あるいは、清掃時に布等で何度も繰り返し擦られても、当該枠状部30の裏側に形成された金属膜39A が損傷することがなく、金属膜39A の損傷を未然に防止することができる。
【００４７】
また、金属膜39A の上、換言すると、金属膜39A の裏側の面に、光を遮断することが可能な厚さの塗膜39B を形成したので、この塗膜39B で、装飾レンズ部品20のレンズ部40の内部に設けられた図示しない照明装置の光りを遮断することができる。このため、蒸着で形成された金属膜39A に数個のピンホールが形成されていても、塗膜39B が照明装置の光りを遮断するので、金属膜39A のピンホールを通じて光りが外部に漏れることがなく、金属膜39A が形成された枠状部30からの光の漏洩を未然に防止することができる。
ここで、枠状部30の裏側の表面30A に、金属膜39A 及び塗膜39B を形成したので、枠状部30が透明な合成樹脂から成形されたものであっても、その裏側の表面30A に形成された凹凸模様（鱗模様38）の輪郭が明瞭に視認可能となり、これにより、凹凸模様（鱗模様38）を鮮明に視認できるものとすることができる。
【００４８】
しかも、蒸着で形成された金属膜39A が薄くても、塗膜39B が内部の照明装置の光りを遮断するので、金属膜39A が形成された枠状部30において、点灯している照明装置の光源が透けて見えることも防止することができる。そのうえ、金属膜39A の膜厚を、光がある程度まで透過可能な膜厚にしたので、塗膜39B の色が金属膜39A を通じて表面に映えるようになるので、例えば、例えば、金属膜39A を銀色とし、塗膜39B を黒色とすれば、枠状部30を表側から見た場合、金属膜39A の色が黒みがかった重厚な銀色に見え、表側の金属膜39A の銀色に重厚さが加わり、装飾レンズ部品20の外観に重厚な高級感を付与することができる。
【００４９】
さらに、装飾レンズ部品20の本体である枠状部30の裏側の表面に鱗状の凹凸を設けることにより、当該枠状部30の裏側の表面に鱗模様38を形成したので、鱗模様38の凹凸の角部分が外部に露出せず、遊技者の手や指によって、その表側の面が擦られても、当該角部分に形成された金属膜が損傷してしまうことがない。そして、鱗模様38は、透明な装飾レンズ部品20の外側から目視できるので、鱗模様38によって、装飾レンズ部品20の意匠をさらに向上でき、装飾レンズ部品20の意匠のバリエーションの増大を図ることもできる。
【００５０】
また、レンズ部40における背の高い方の側壁部42に、その表裏を貫通する係止開口部42A を設け、枠状部30における背の高い方の側壁部34に、レンズ部40側の係止開口部42A に挿通可能なクランク状の掛止部53を設け、レンズ部40を枠状部30に固定する際に、掛止部53の先端部分が係止開口部42A の内部を通ってレンズ部40の側壁部42の内側の面に掛止されるようにしたので、枠状部30の側壁部34及びレンズ部40の側壁部42は、互いに離間することが防止されるようになり、枠状部30及びレンズ部40を一体化した際に、枠状部30の側壁部34及びレンズ部40の側壁部42の間に形成される隙間が拡がることがない。
【００５１】
さらに、レンズ部40における低い方の側壁部43に、枠状部30側を向いた端部が開口された筒状に形成された筒状部43B を設け、枠状部30における背の低い方の側壁部35に、レンズ部40側の筒状部43B に対応した位置に設けられているとともに、筒状部43B に応じた多角形状の断面を有し、且つ、側面形状が「Ｌ」字形状の掛止鉤部55を設け、レンズ部40を枠状部30に固定する際に、掛止鉤部55の先端部分がレンズ部40側の筒状部43B の内部に挿入され、筒状部43B に掛止されるようにしたので、枠状部30の側壁部35及びレンズ部40の側壁部43は、互いに離間することが防止されるようになり、枠状部30及びレンズ部40を一体化した際に、枠状部30の側壁部35及びレンズ部40の側壁部43の間に形成される隙間が拡がることがない。
【００５２】
従って、装飾レンズ部品20を枠状部30及びレンズ部40の二つ部品で形成したために、枠状部30の側壁部34及びレンズ部40の側壁部42の間、並びに、枠状部30の側壁部35及びレンズ部40の側壁部43の間に隙間が形成されても、当該隙間に針金状の器具を押し込むことができる程度に、当該隙間を拡げることを不可能にすることができ、これにより、当該隙間を通じて針金状の器具を装飾レンズ部品20の内部に押し込むことが困難となり、針金状の器具による不正行為の防止を図ることができる。
【００５３】
なお、本発明は、前記実施形態に限定されるものではなく、本発明の目的を達成できる範囲における変形及び改良などをも含むものである。
例えば、装飾用外装部品の裏側の表面に形成される凹凸模様としては、鱗模様38やダイヤ模様47に限らず、複数の縞からなる縞模様、細かい凹凸かｔらなる梨地模様、星形、多角形及び円形等からなる幾何学模様でもよく、凹凸模様の具体的な形態は実施にあたり適宜選択できる。
【００５４】
また、装飾用外装部品としては、前記実施形態における装飾レンズ部品20のように、二つ部品からなるものに限らず、ワンピースものでも、三つ以上の部品からなるものでもよく、装飾用外装部品に具体的な形状及び構造は、実施にあたり適宜選択できる。
さらに、遊技機としては、スロットマシンに限らず、遊技場に設置される弾球遊技機や、ゲームセンター等に設置されるテレビゲーム等でもよく、本発明は、意匠を向上させる装飾用外装部品を取り付けることが可能な遊技機全般に適用することができる。
【符号の説明】
【００５５】
1        遊技機としてのスロットマシン
20        装飾用外装部品としての装飾レンズ部品
30        本体としての枠状部
30A       本体(枠状部)の裏側の表面
39A       金属膜
39B       塗膜
38        凹凸模様としての鱗模様
【図１】
2013070937.tif 000003
【図２】
2013070937.tif 000004
【図３】
2013070937.tif 000005
【図４】
2013070937.tif 000006
【図５】
2013070937.tif 000007
【図６】
2013070937.tif 000008
【図７】
2013070937.tif 000009
【図８】
2013070937.tif 000010
【図９】
2013070937.tif 000011